(57)【特許請求の範囲】
【請求項１】
頭髪を所望の形状にするためのパーマ方法であって、
被施術者の頭髪に対して洗髪を行うシャンプー工程と、
洗髪後の濡れた頭髪を前記所望の形状に整えた状態で乾燥させる乾燥工程と、
前記乾燥工程後の頭髪にパーマ用１液を塗布するパーマ用１液塗布工程と、
パーマ用１液が塗布されてから所定時間経過後の頭髪をすすぐ第１プレーンリンス工程と、
前記第１プレーンリンス工程後の頭髪にパーマ用２液を塗布するパーマ用２液塗布工程と、
パーマ用２液が塗布されてから所定時間経過後の頭髪をすすぐ第２プレーンリンス工程とを含むことを特徴とするパーマ方法。
【請求項２】
洗髪後の濡れた頭髪をロッドに巻き付けるロッド巻工程と、
前記ロッドに巻き付けられた頭髪をスチームに晒すスチーム工程とをさらに含み、
前記乾燥工程では、前記スチーム工程後の濡れた頭髪を前記ロッドによりウェーブ形状に整えた状態のまま乾燥させることを特徴とする請求項１に記載のパーマ方法。
【請求項３】
前記パーマ用２液塗布工程後に前記ロッドを頭髪から取り外すロッドオフ工程をさらに含み、
前記第２プレーンリンス工程は、前記ロッドオフ工程後に行われることを特徴とする請求項２に記載のパーマ方法。
【請求項４】
前記乾燥工程後に前記ロッドを頭髪から取り外すロッドオフ工程をさらに含み、
前記パーマ用１液塗布工程は、前記ロッドオフ工程後に行われることを特徴とする請求項２に記載のパーマ方法。
【請求項５】
前記乾燥工程では、洗髪後の濡れた頭髪をブローした後、アイロンを用いてストレート形状に整えた状態で乾燥させることを特徴とする請求項１に記載のパーマ方法。
【発明の詳細な説明】
【技術分野】
【０００１】
本発明は、被施術者の頭髪に対してウェーブパーマ又はストレートパーマなどのパーマを施すためのパーマ方法に関するものである。
【背景技術】
【０００２】
被施術者の頭髪に対してパーマを施す際の方法としては、従来から種々の方法が提案されているが、いずれの方法においても、頭髪にパーマ用１液（還元剤）及びパーマ用２液（酸化剤）を順次に塗布するのが一般的である（例えば、下記特許文献１〜３参照）。パーマ用１液は、頭髪の構造を変形しやすくするための液体である。一方、パーマ用２液は、頭髪の構造を変形した状態で固定するための液体である。頭髪をウェーブ形状とするウェーブパーマ、及び、頭髪をストレート形状とするストレートパーマのいずれにおいても、従来からパーマ用１液及びパーマ用２液が用いられている。
【０００３】
図７は、従来のウェーブパーマを施す方法の一例を示すフローチャートである。この例では、まず、被施術者の頭髪に対して洗髪を行った後（ステップＳ４０１：シャンプー工程）、洗髪後の濡れた頭髪をロッドに巻き付ける（ステップＳ４０２：ロッド巻工程）。その後、パーマ用１液を頭髪に塗布し（ステップＳ４０３：パーマ用１液塗布工程）、１０〜１５分ほど経過した後に、頭髪をすすいでパーマ用１液を洗い流す（ステップＳ４０４：第１プレーンリンス工程）。
【０００４】
次に、パーマ用２液を頭髪に塗布し（ステップＳ４０５：パーマ用２液塗布工程）、１０〜１５分ほど経過した後に、ロッドを頭髪から取り外す（ステップＳ４０６：ロッドオフ工程）。そして、頭髪をすすいでパーマ用２液を洗い流した後（ステップＳ４０７：第２プレーンリンス工程）、トリートメントを頭髪に塗布する（ステップＳ４０８：トリートメント工程）。最後に、頭髪をブローするなどして仕上げを行い（ステップＳ４０９：仕上げ工程）、ウェーブパーマの施術が完了する。
【０００５】
図８は、従来のウェーブパーマを施す方法の他の例を示すフローチャートである。この例では、まず、被施術者の頭髪に対して洗髪を行った後（ステップＳ５０１：シャンプー工程）、洗髪後の濡れた頭髪にパーマ用１液を塗布する（ステップＳ５０２：パーマ用１液塗布工程）。そして、１０〜１５分ほど経過した後に、頭髪をすすいでパーマ用１液を洗い流す（ステップＳ５０３：第１プレーンリンス工程）。
【０００６】
次に、加熱されたロッド（ヒートロッド）に頭髪を巻き付ける（ステップＳ５０４：ヒートロッド巻工程）。その後、パーマ用２液を頭髪に塗布し（ステップＳ５０５：パーマ用２液塗布工程）、１０〜１５分ほど経過した後に、ロッドを頭髪から取り外す（ステップＳ５０６：ロッドオフ工程）。そして、頭髪をすすいでパーマ用２液を洗い流した後（ステップＳ５０７：第２プレーンリンス工程）、トリートメントを頭髪に塗布する（ステップＳ５０８：トリートメント工程）。最後に、頭髪をブローするなどして仕上げを行い（ステップＳ５０９：仕上げ工程）、ウェーブパーマの施術が完了する。
【０００７】
図７に示すような従来のウェーブパーマの施術方法では、頭髪が濡れた状態でロッドにより癖付けされ、癖付けされたウェーブ形状がパーマ用２液により固定される。そのため、ウェーブパーマの施術完了後、頭髪が濡れた状態では、固定されたウェーブ形状が再現されるが、頭髪が乾燥した状態では、固定されたウェーブ形状が再現されない。
【０００８】
一方、図８に示すような従来のウェーブパーマの施術方法では、ヒートロッドにより乾燥した状態で頭髪が癖付けされ、癖付けされたウェーブ形状がパーマ用２液により固定される。そのため、ウェーブパーマの施術完了後、頭髪が乾燥した状態で、固定されたウェーブ形状を再現することができる。
【０００９】
しかしながら、図７及び図８のいずれにおいても、従来のウェーブパーマの施術方法では、パーマ用１液を頭髪に塗布している時間が１０〜１５分ほど必要であるため、頭髪へのダメージが大きいという問題がある。また、パーマ用２液を頭髪に塗布している時間も、通常１０〜１５分ほど必要であり、パーマ用１液及びパーマ用２液の両方で約２０〜３０分の待ち時間が生じるため、ウェーブパーマの施術時間が非常に長くなってしまうという問題がある。
【００１０】
図９は、従来のストレートパーマを施す方法の一例を示すフローチャートである。この例では、まず、被施術者の頭髪に対して洗髪を行った後（ステップＳ６０１：シャンプー工程）、洗髪後の濡れた頭髪をパネルに貼り付けてパーマ用１液を塗布する（ステップＳ６０２：パーマ１液パネル塗布工程）。そして、１０〜３０分ほど経過した後に、必要に応じて頭髪をコーミングし（ステップＳ６０３：コーミング工程）、頭髪をすすいでパーマ用１液を洗い流す（ステップＳ６０４：第１プレーンリンス工程）。
【００１１】
次に、頭髪をパネルに貼り付けてパーマ用２液を塗布し（ステップＳ６０５：パーマ用２液パネル塗布工程）、１０〜１５分ほど経過した後に、必要に応じて頭髪をコーミングする（ステップＳ６０６：コーミング工程）。そして、頭髪をすすいでパーマ用２液を洗い流した後（ステップＳ６０７：第２プレーンリンス工程）、トリートメントを頭髪に塗布する（ステップＳ６０８：トリートメント工程）。最後に、頭髪をブローするなどして仕上げを行い（ステップＳ６０９：仕上げ工程）、ストレートパーマの施術が完了する。
【００１２】
図１０は、従来のストレートパーマを施す方法の他の例を示すフローチャートである。この例では、まず、被施術者の頭髪に対して洗髪を行った後（ステップＳ７０１：シャンプー工程）、洗髪後の濡れた頭髪にパーマ用１液を塗布する（ステップＳ７０２：パーマ用１液塗布工程）。そして、１０〜３０分ほど経過した後に、頭髪をすすいでパーマ用１液を洗い流す（ステップＳ７０３：第１プレーンリンス工程）。
【００１３】
次に、タオルで頭髪の水分を拭き取り（ステップＳ７０４：タオルドライ工程）、頭髪をストレート形状に整えながらブローした後（ステップＳ７０５：ブロー工程）、さらに加熱されたアイロンにより頭髪をストレート形状に整える（ステップＳ７０６：アイロン工程）。その後、パーマ用２液を頭髪に塗布し（ステップＳ７０７：パーマ用２液塗布工程）、１０分ほど経過した後に、頭髪をすすいでパーマ用２液を洗い流し（ステップＳ７０８：第２プレーンリンス工程）、トリートメントを頭髪に塗布する（ステップＳ７０９：トリートメント工程）。最後に、頭髪をブローするなどして仕上げを行い（ステップＳ７１０：仕上げ工程）、ストレートパーマの施術が完了する。
【００１４】
図９に示すような従来のストレートパーマの施術方法では、頭髪が濡れた状態でパネル及びコーミングにより癖付けされ、癖付けされたストレート形状がパーマ用２液により固定される。そのため、ストレートパーマの施術完了後、頭髪が濡れた状態では、固定されたストレート形状が再現されるが、頭髪が乾燥した状態では、固定されたストレート形状が再現されない。
【００１５】
一方、図１０に示すような従来のストレートパーマの施術方法では、ブロー及びアイロンにより乾燥した状態で頭髪が癖付けされ、癖付けされたストレート形状がパーマ用２液により固定される。そのため、ストレートパーマの施術完了後、頭髪が乾燥した状態で、固定されたストレート形状を再現することができる。しかしながら、図９及び図１０のいずれにおいても、従来のストレートパーマの施術方法では、パーマ用１液を頭髪に塗布している時間が１０〜３０分ほど必要であるため、頭髪へのダメージが大きいという問題がある。また、パーマ用２液を頭髪に塗布している時間も、通常１０〜１５分ほど必要であり、パーマ用１液及びパーマ用２液の両方で約２０〜４５分の待ち時間が生じるため、ストレートパーマの施術時間が非常に長くなってしまうという問題がある。
【先行技術文献】
【特許文献】
【００１６】
【特許文献１】特開２０１１−２４８３２号公報
【特許文献２】特開２００９−１３６３６７号公報
【特許文献３】特開２００６−１４７８２号公報
【発明の概要】
【発明が解決しようとする課題】
【００１７】
本発明は、上記実情に鑑みてなされたものであり、固定した頭髪の形状を乾燥した状態で再現することができ、かつ、頭髪へのダメージを小さくすることができるパーマ方法を提供することを目的とする。また、本発明は、施術時間を短縮することができるパーマ方法を提供することを目的とする。
【課題を解決するための手段】
【００１８】
上記のような従来のウェーブパーマ及びストレートパーマの施術方法は、いずれも、コルテックス細胞を構成するＩＦやＭｘの組織内のシスチン（−ＳＳ−）結合を還元剤により切断（還元）し、その切断に伴いＩＦを新たな位置に再配向（構造的再配向）させた上で、酸化剤によりＭｘでの−ＳＳ−結合を再結合（酸化）させることによって、ウェーブ形状又はストレート形状を形成するという理論に基づく方法である。
【００１９】
ここで、日常の事実として、ウェーブ形状及びストレート形状のいずれについても、頭髪の形状を変えることは、カーラーやアイロンなどを用いて容易に行うことができる。しかし、この形状は、水分変動に応じて元の形状に戻る一次セットに過ぎない。当該一次セットは、水分や熱によりケラチン分子鎖間を架橋している水素結合が切断され、その切断された分子鎖が新たな形状に再配列された上で（形状形成過程）、その配列で水素結合が再結合される（形状安定化過程）ことによるものである。
【００２０】
本願発明者は、上記のような事実から、頭髪の形状は水素結合の切断とそれに伴う構成分子の再配列、及び、新配列による水素結合の再結合により形成することができ、上記−ＳＳ−結合の切断とそれに伴う分子鎖の再配列は必要ないという新たな認識に至った。
【００２１】
しかしながら、一次セットは、水分条件により元の形状に戻ってしまうという問題がある。この復元の原因は、一次セット状態で再配列し得なかった分子鎖が持つエネルギーによるものと考えられる。すなわち、一次セット状態の頭髪は、部分的にエネルギーが不安定な状態にある。そのため、分子鎖の歪みに内在するエネルギーが、頭髪の形状を安定化させている水素結合が水分の供給により切断されると同時に開放され、歪んでいた分子鎖が再配列することで、エネルギー的に安定な元の状態に戻る。
【００２２】
このように、一次セットで形成される頭髪の形状は、その頭髪で形成できる最上の形状であり、各個人の頭髪の特性に応じて、形作ることができる頭髪の形状は自ずと決まってくる。また、同一人物の頭髪であっても、そのダメージ度合などに応じて、形作ることができる頭髪の形状は異なってくる。
【００２３】
このような考察に基づいて、本願発明者は、一次セットにより各個人の頭髪が持つ能力に応じた形状を形作り、その形状を日常のヘアケアで維持することができれば、新たなパーマ方法になり得るという新たな発想に至った。すなわち、一次セット状態の頭髪に内在する復元力を除去すれば、一次セットで形成された頭髪の形状が持続するはずであるという発想の転換に至った。
【００２４】
本願発明者は、上記のような新たな発想に基づき実験を行った結果、パーマ用１液を塗布する前に、頭髪を所望の形状に整えた状態で乾燥させることにより癖付けし（一次セット）、その後にパーマ用１液（還元剤）及びパーマ用２液（酸化剤）を順次に頭髪に塗布することにより、乾燥時に癖付けした頭髪の形状を固定することができることを見出した。この場合、固定した頭髪の形状を乾燥した状態で再現することができるとともに、パーマ用１液及びパーマ用２液をそれぞれ頭髪に塗布している時間が短くて済むことが分かった。
【００２５】
ここで、一次セットの復元力は、一次セットで切断できないジスルフィド結合やイソペプチド結合によるものと考えられる。本発明では、ジスルフィド結合をパーマ用１液により切断し、それに関連する分子鎖の歪みを緩和して再配列した上で、パーマ用２液により新たな位置でジスルフィド結合を再結合させて形状を安定化させることができる。
【００２６】
このような本発明の理論は、従来のパーマ方法の理論とは全く異なるものであり、ジスルフィド結合の切断及び再結合が頭髪の形状形成のために行われるのではなく、一次セット形状を安定化させるために行われる。そして、新たなジスルフィド結合は、日常の水分変動に応じた頭髪の膨潤又は脱膨潤に伴う分子配置変化を最小限に抑える役割を果たす。この考えに基づき本願発明者が発明したパーマ方法は、以下の通りである。
【００２７】
本発明に係るパーマ方法は、頭髪を所望の形状にするためのパーマ方法であって、被施術者の頭髪に対して洗髪を行うシャンプー工程と、洗髪後の濡れた頭髪を前記所望の形状に整えた状態で乾燥させる乾燥工程と、前記乾燥工程後の頭髪にパーマ用１液を塗布するパーマ用１液塗布工程と、パーマ用１液が塗布されてから所定時間経過後の頭髪をすすぐ第１プレーンリンス工程と、前記第１プレーンリンス工程後の頭髪にパーマ用２液を塗布するパーマ用２液塗布工程と、パーマ用２液が塗布されてから所定時間経過後の頭髪をすすぐ第２プレーンリンス工程とを含むことを特徴とする。
【００２８】
このような構成によれば、パーマ用１液を塗布する前に、頭髪を所望の形状に整えた状態で乾燥させることにより癖付けし（一次セット）、その後にパーマ用１液及びパーマ用２液を順次に頭髪に塗布することにより、乾燥時に癖付けした頭髪の形状を固定することができる。これにより、固定した頭髪の形状を乾燥した状態で再現することができる。また、パーマ用１液を頭髪に塗布している時間が短くて済むため、頭髪へのダメージを小さくすることができる。
【００２９】
さらに、パーマ用１液だけでなく、パーマ用２液を頭髪に塗布している時間も短くて済むため、パーマ用１液及びパーマ用２液をそれぞれ頭髪に塗布している間の待ち時間が短くなる。これにより、パーマの施術時間を短縮することができる。
【００３０】
一次セット時には、分子鎖を十分に移動させて歪みを緩和させる（緩和過程）ことが非常に重要である。したがって、ロッド又はアイロンなどにより頭髪を所望の形状に整えた状態で、湿熱又は乾熱により頭髪を加熱することが好ましい。分子鎖の歪みを緩和させた状態では、頭髪が湿潤状態であるため、脱膨潤時には分子鎖が再度移動する。しかし、この際の分子鎖の移動はわずかであり、このときの頭髪の形状を水素結合により記憶させることが非常に重要である。
【００３１】
パーマ用１液により切断すべきジスルフィド結合は、エキソクチクル内に局在化している結合であるため、頭髪本体であるコルテックス細胞内のジスルフィド結合の切断は極力抑える必要がある。コルテックス細胞内のジスルフィド結合が切断されると、ＩＦが持つ弾力特性が低下するため、新たに形作られた頭髪の形状のリッジ性やストレート性に悪影響を及ぼすこととなる。そのため、パーマ用１液の塗布時間をコントロールしたり、浸透抑制剤による前処理を行ったりすることにより、パーマ用１液の浸透を制御することが好ましい。
【００３２】
前記パーマ方法は、洗髪後の濡れた頭髪をロッドに巻き付けるロッド巻工程と、前記ロッドに巻き付けられた頭髪をスチームに晒すスチーム工程とをさらに含んでいてもよい。この場合、前記乾燥工程では、前記スチーム工程後の濡れた頭髪を前記ロッドによりウェーブ形状に整えた状態のまま乾燥させてもよい。
【００３３】
このような構成によれば、頭髪をロッドによりウェーブ形状に整えた状態で、スチーム工程により頭髪の構造を変形しやすくした後に乾燥させて癖付けし、その後にパーマ用１液及びパーマ用２液を順次に頭髪に塗布することにより、乾燥時に癖付けした頭髪のウェーブ形状を固定することができる。これにより、固定した頭髪のウェーブ形状を乾燥した状態で良好に再現することができる。
【００３４】
前記パーマ方法は、前記パーマ用２液塗布工程後に前記ロッドを頭髪から取り外すロッドオフ工程をさらに含んでいてもよい。この場合、前記第２プレーンリンス工程は、前記ロッドオフ工程後に行われてもよい。
【００３５】
このような構成によれば、頭髪をロッドによりウェーブ形状に整えた状態でパーマ用１液及びパーマ用２液を頭髪に塗布するため、乾燥時に癖付けした頭髪のウェーブ形状をしっかりと固定することができる。これにより、固定した頭髪のウェーブ形状を乾燥した状態でさらに良好に再現することができる。
【００３６】
前記パーマ方法は、前記乾燥工程後に前記ロッドを頭髪から取り外すロッドオフ工程をさらに含んでいてもよい。この場合、前記パーマ用１液塗布工程は、前記ロッドオフ工程後に行われてもよい。
【００３７】
このような構成によれば、乾燥工程により頭髪をウェーブ形状に整えた状態で癖付けした後、ロッドを取り外してから、パーマ用１液及びパーマ用２液が順次に頭髪に塗布される。このような場合でも、乾燥時に癖付けした頭髪のウェーブ形状を良好に固定することができる。また、ロッドを取り外した状態でパーマ用１液及びパーマ用２液が順次に頭髪に塗布されるため、頭髪へのダメージを小さくすることができる。
【００３８】
前記乾燥工程では、洗髪後の濡れた頭髪をブローした後、アイロンを用いてストレート形状に整えた状態で乾燥させてもよい。
【００３９】
このような構成によれば、頭髪をブロー及びアイロンによりストレート形状に整えた状態で乾燥させて癖付けし、その後にパーマ用１液及びパーマ用２液を順次に頭髪に塗布することにより、乾燥時に癖付けした頭髪のストレート形状を固定することができる。これにより、固定した頭髪のストレート形状を乾燥した状態で良好に再現することができる。
【発明の効果】
【００４０】
本発明によれば、固定した頭髪の形状を乾燥した状態で再現することができる。また、パーマ用１液を頭髪に塗布している時間が短くて済むため、頭髪へのダメージを小さくすることができる。さらに、パーマ用１液及びパーマ用２液をそれぞれ頭髪に塗布している間の待ち時間が短くなるため、パーマの施術時間を短縮することができる。
【図面の簡単な説明】
【００４１】
【図１】本発明の一実施形態に係るウェーブパーマを施す方法の一例を示すフローチャートである。
【図２】本発明の一実施形態に係るウェーブパーマを施す方法の他の例を示すフローチャートである。
【図３】本発明の一実施形態に係るストレートパーマを施す方法の一例を示すフローチャートである。
【図４】本発明の第１実施例を示す図である。
【図５】本発明の第２実施例を示す図である。
【図６】本発明の第３実施例を示す図である。
【図７】従来のウェーブパーマを施す方法の一例を示すフローチャートである。
【図８】従来のウェーブパーマを施す方法の他の例を示すフローチャートである。
【図９】従来のストレートパーマを施す方法の一例を示すフローチャートである。
【図１０】従来のストレートパーマを施す方法の他の例を示すフローチャートである。
【発明を実施するための形態】
【００４２】
図１は、本発明の一実施形態に係るウェーブパーマを施す方法の一例を示すフローチャートである。この例では、まず、被施術者の頭髪に対して洗髪を行った後（ステップＳ１０１：シャンプー工程）、洗髪後の濡れた頭髪をロッドに巻き付ける（ステップＳ１０２：ロッド巻工程）。
【００４３】
その後、本実施形態では、ロッドに巻き付けられた頭髪をスチームに晒す（ステップＳ１０３：スチーム工程）。このスチーム工程により、頭髪におけるキューティクルの内部に存在しているコルテックスがずれやすい状態となり、頭髪の構造が変形しやすくなる。
【００４４】
そして、上記のようなスチーム工程を５〜１５分ほど行った後に、スチーム工程後の濡れた頭髪をロッドによりウェーブ形状に整えた状態のまま乾燥させる（ステップＳ１０４：乾燥工程）。このとき、１０〜１５分ほど乾燥工程を行い、頭髪を完全乾燥させることにより、乾燥した状態のウェーブ形状を頭髪に形状記憶させることができる。
【００４５】
乾燥工程の後、パーマ用１液を頭髪に塗布する（ステップＳ１０５：パーマ用１液塗布工程）。パーマ用１液としては、例えばチオグリコール酸、システイン、チオグリコール酸とシステインの混合液、システアミン、チオグリセリンなどを例示することができる。上記乾燥工程での頭髪の形状記憶の効果により、本実施形態においてパーマ用１液を頭髪に塗布している時間は、１〜３分ほどで十分である。
【００４６】
次に、頭髪をすすいでパーマ用１液を洗い流し（ステップＳ１０６：第１プレーンリンス工程）、パーマ用２液を頭髪に塗布する（ステップＳ１０７：パーマ用２液塗布工程）。ただし、カール数を少なくしたい場合には、第１プレーンリンス工程の後に、乾燥工程を再度行うことにより、リッジのあるウェーブ形状を頭髪に形状記憶させることができる。還元剤（パーマ用１液）は、基本的に強めで短時間行うのが最良であるが、弱い還元剤ではカール数が少なくなるため、この場合は、第１プレーンリンス工程の後に乾燥工程を再度行う必要がある。パーマ用２液としては、例えば臭素酸ナトリウム、ブロム酸又は過酸化水素を含むローションを例示することができる。上記乾燥工程での頭髪の形状記憶の効果により、本実施形態においてパーマ用２液を頭髪に塗布している時間は、ブロム酸の場合に１〜１０分ほど、過酸化水素の場合に３０秒〜１分ほどで十分である。
【００４７】
その後、ロッドを頭髪から取り外し（ステップＳ１０８：ロッドオフ工程）、頭髪をすすいでパーマ用２液を洗い流した後（ステップＳ１０９：第２プレーンリンス工程）、トリートメントを頭髪に塗布する（ステップＳ１１０：トリートメント工程）。最後に、頭髪をブローするなどして仕上げを行い（ステップＳ１１１：仕上げ工程）、ウェーブパーマの施術が完了する。
【００４８】
本実施形態では、パーマ用１液を塗布する前に、頭髪をウェーブ形状に整えた状態で乾燥させることにより癖付けし、その後にパーマ用１液及びパーマ用２液を順次に頭髪に塗布することにより、乾燥時に癖付けした頭髪のウェーブ形状を固定することができる。これにより、固定した頭髪のウェーブ形状を乾燥した状態で再現することができる。
【００４９】
特に、スチーム工程により頭髪の構造を変形しやすくした後に乾燥させて癖付けすることにより、固定した頭髪のウェーブ形状を乾燥した状態で良好に再現することができる。さらに、頭髪をロッドによりウェーブ形状に整えた状態でパーマ用１液及びパーマ用２液を頭髪に塗布するため、乾燥時に癖付けした頭髪のウェーブ形状をしっかりと固定することができる。これにより、固定した頭髪のウェーブ形状を乾燥した状態でさらに良好に再現することができる。
【００５０】
また、パーマ用１液を頭髪に塗布している時間が短くて済むため、頭髪へのダメージを小さくすることができる。さらに、パーマ用１液だけでなく、パーマ用２液を頭髪に塗布している時間も短くて済むため、パーマ用１液及びパーマ用２液をそれぞれ頭髪に塗布している間の待ち時間が短くなる。これにより、ウェーブパーマの施術時間を短縮することができる。
【００５１】
図２は、本発明の一実施形態に係るウェーブパーマを施す方法の他の例を示すフローチャートである。この例では、ロッドを頭髪から取り外すロッドオフ工程の順序のみが上記実施形態とは異なり、他の工程の具体的な内容は上記実施形態と同様であるため、同様の工程についての具体的な説明は省略する。
【００５２】
この例では、まず、被施術者の頭髪に対して洗髪を行った後（ステップＳ２０１：シャンプー工程）、洗髪後の濡れた頭髪をロッドに巻き付ける（ステップＳ２０２：ロッド巻工程）。その後、ロッドに巻き付けられた頭髪を５〜１５分ほどスチームに晒し（ステップＳ２０３：スチーム工程）、スチーム工程後の濡れた頭髪をロッドによりウェーブ形状に整えた状態のまま完全乾燥させる（ステップＳ２０４：乾燥工程）。
【００５３】
次に、この例では、ロッドを頭髪から取り外した後（ステップＳ２０５：ロッドオフ工程）、パーマ用１液を頭髪に塗布する（ステップＳ２０６：パーマ用１液塗布工程）。そして、１〜３分ほど経過した後に、頭髪をすすいでパーマ用１液を洗い流し（ステップＳ２０７：第１プレーンリンス工程）、パーマ用２液を頭髪に塗布する（ステップＳ２０８：パーマ用２液塗布工程）。
【００５４】
その後、パーマ用２液がブロム酸の場合には１〜１０分ほど、過酸化水素の場合には３０秒〜１分ほど経過してから、頭髪をすすいでパーマ用２液を洗い流し（ステップＳ２０９：第２プレーンリンス工程）、トリートメントを頭髪に塗布する（ステップＳ２１０：トリートメント工程）。最後に、頭髪をブローするなどして仕上げを行い（ステップＳ２１１：仕上げ工程）、ウェーブパーマの施術が完了する。
【００５５】
このように、乾燥工程により頭髪をウェーブ形状に整えた状態で癖付けした後、ロッドを取り外してから、パーマ用１液及びパーマ用２液を順次に頭髪に塗布した場合でも、乾燥時に癖付けした頭髪のウェーブ形状を良好に固定することができる。また、ロッドを取り外した状態でパーマ用１液及びパーマ用２液が順次に頭髪に塗布されるため、頭髪へのダメージを小さくすることができる。
【００５６】
ただし、ロッドを頭髪から取り外すロッドオフ工程は、乾燥工程後に限らず、他のタイミングで行われるような構成であってもよい。例えば、スチーム工程が行われた後、乾燥工程の前に、ロッドオフ工程が行われるような構成であってもよい。なお、図１及び図２のいずれの方法においても、スチーム工程が省略された構成であってもよい。
【００５７】
図３は、本発明の一実施形態に係るストレートパーマを施す方法の一例を示すフローチャートである。この例では、まず、被施術者の頭髪に対して洗髪を行った後（ステップＳ３０１：シャンプー工程）、洗髪後の濡れた頭髪を乾燥させる（ステップ３０２：乾燥工程）。このとき、洗髪後の濡れた頭髪をストレート形状に整えながらブローした後、さらに加熱されたアイロンを用いてストレート形状に整えた状態で完全乾燥させることにより、乾燥した状態のストレート形状を頭髪に形状記憶させることができる。
【００５８】
乾燥工程の後、パーマ用１液を頭髪に塗布する（ステップＳ３０３：パーマ用１液塗布工程）。パーマ用１液としては、例えばチオグリコール酸、システイン、チオグリコール酸とシステインの混合液、システアミン、チオグリセリンなどを例示することができる。上記乾燥工程での頭髪の形状記憶の効果により、本実施形態においてパーマ用１液を頭髪に塗布している時間は、３〜１０分ほどで十分である。
【００５９】
次に、頭髪をすすいでパーマ用１液を洗い流し（ステップＳ３０４：第１プレーンリンス工程）、タオルで頭髪の水分を拭き取った後（ステップＳ３０５：タオルドライ工程）、パーマ用２液を頭髪に塗布する（ステップＳ３０６：パーマ用２液塗布工程）。パーマ用２液としては、例えば臭素酸ナトリウム、ブロム酸又は過酸化水素を含むクリームを例示することができる。上記乾燥工程での頭髪の形状記憶の効果により、本実施形態においてパーマ用２液を頭髪に塗布している時間は、ブロム酸の場合に１〜１０分ほど、過酸化水素の場合に３０秒〜１分ほどで十分である。
【００６０】
そして、頭髪をすすいでパーマ用２液を洗い流した後（ステップＳ３０７：第２プレーンリンス工程）、トリートメントを頭髪に塗布する（ステップＳ３０８：トリートメント工程）。最後に、頭髪をブローするなどして仕上げを行い（ステップＳ３０９：仕上げ工程）、ストレートパーマの施術が完了する。
【００６１】
本実施形態では、パーマ用１液を塗布する前に、頭髪をストレート形状に整えた状態で乾燥させることにより癖付けし、その後にパーマ用１液及びパーマ用２液を順次に頭髪に塗布することにより、乾燥時に癖付けした頭髪のストレート形状を固定することができる。これにより、固定した頭髪のストレート形状を乾燥した状態で再現することができる。
【００６２】
特に、頭髪をブロー及びアイロンによりストレート形状に整えた状態で乾燥させて癖付けすることにより、固定した頭髪のストレート形状を乾燥した状態で良好に再現することができる。
【００６３】
また、パーマ用１液を頭髪に塗布している時間が短くて済むため、頭髪へのダメージを小さくすることができる。さらに、パーマ用１液だけでなく、パーマ用２液を頭髪に塗布している時間も短くて済むため、パーマ用１液及びパーマ用２液をそれぞれ頭髪に塗布している間の待ち時間が短くなる。これにより、ストレートパーマの施術時間を短縮することができる。
【００６４】
ただし、アイロンにより頭髪をストレート形状に整えるような構成に限らず、例えば図９において説明したストレートパーマの施術方法のように、頭髪をパネルに貼り付けるような構成であっても、頭髪をパネルに貼り付けた後に、頭髪を乾燥させる工程を追加することにより、ストレート形状を頭髪に形状記憶させることができる場合もある。
【００６５】
以上の実施形態では、ウェーブパーマ及びストレートパーマについてのパーマ方法をそれぞれ説明したが、これらを組み合わせることも可能である。例えば、図３に示すような方法で頭髪にストレートパーマを施した後、図１又は図２に示すような方法で当該頭髪にウェーブパーマを施してもよい。
【００６６】
図４は、本発明の第１実施例を示す図である。この第１実施例では、図３に示したパーマ方法を用いて頭髪にストレートパーマを施した。
【００６７】
アイロンを用いた乾燥工程では、１７５℃の温度で１５秒ずつ、２回にわたって頭髪にアイロンを滑らせて乾燥させた。その結果、図４（ａ）に示すような当初の頭髪が、アイロンを用いた乾燥工程により癖付けされ（一次セット）、図４（ｂ）に示すようなストレート形状となった。
【００６８】
その後、パーマ用１液塗布工程では、パーマ用１液（還元剤）を頭髪に２分間塗布した後、第１プレーンリンス工程を行った。また、パーマ用２液塗布工程では、パーマ用２液（酸化剤）を頭髪に２分間塗布した後、第２プレーンリンス工程を行った。これにより、図４（ｃ）に示すように、頭髪の形状をストレート形状に固定することができた。また、その後に頭髪を煮沸水に３０秒浸漬したが、図４（ｄ）に示すように、頭髪の形状をストレート形状のまま維持することができた。
【００６９】
図５は、本発明の第２実施例を示す図である。この第２実施例では、図１に示したパーマ方法を用いて頭髪にウェーブパーマを施した。
【００７０】
ロッドとしては、直径１２ｍｍのものを使用した。ロッドに巻き付けられた頭髪に対して緩和処理を１５分間行った後、頭髪をドライヤで乾燥させた。その結果、図５（ａ）に示すような当初の頭髪が、ドライヤを用いた乾燥工程により癖付けされ（一次セット）、図５（ｂ）に示すようなウェーブ形状となった。
【００７１】
その後、パーマ用１液塗布工程では、パーマ用１液（還元剤）を頭髪に２分間塗布した後、第１プレーンリンス工程を行った。また、パーマ用２液塗布工程では、パーマ用２液（酸化剤）を頭髪に１０分間塗布した後、第２プレーンリンス工程を行った。これにより、図５（ｃ）に示すように、頭髪の根元（毛元）及び中央部（毛中）のいずれの形状についてもウェーブ形状に固定することができた。なお、パーマ用１液塗布工程においてパーマ用１液に浸透剤を混合すれば、頭髪に対するパーマ用２液の塗布時間を２分に短縮しても同等の効果を得ることができた。
【００７２】
図６は、本発明の第３実施例を示す図である。この第３実施例では、図３に示したパーマ方法を用いて頭髪にストレートパーマを施した後、図１に示したパーマ方法を用いて頭髪にウェーブパーマを施した。
【００７３】
まず、図４に示した第１実施例と同様の条件で頭髪にストレートパーマを施したところ、図６（ａ）に示すような当初の頭髪が、アイロンを用いた乾燥工程により癖付けされ、図６（ｂ）に示すようなストレート形状となった。その後、図５に示した第２実施例と同様の条件で頭髪にウェーブパーマを施したところ、図６（ｃ）に示すように、頭髪の形状をウェーブ形状に固定することができた。
【図１】
0005894219.tif 000002
【図２】
0005894219.tif 000003
【図３】
0005894219.tif 000004
【図７】
0005894219.tif 000005
【図８】
0005894219.tif 000006
【図９】
0005894219.tif 000007
【図１０】
0005894219.tif 000008
【図４】
0005894219.tif 000009
【図５】
0005894219.tif 000010
【図６】
0005894219.tif 000011